(57)【要約】【課題】事務機器の外観の表面の汚染物及び頑固な汚れを簡単かつ楽に取り除くことができる事務機器用洗浄装置を提供する。【解決手段】内部に空間が形成され、第１排出口が内部空間の底面に形成され、底面が地面と離隔するように底面に支持部が複数形成される本体部と、本体部の内部空間に結合され、内部に空間が形成され、第１排出口の内部に挿入される第２排出口が内部空間の底面に形成される腐食防止部と、腐食防止部の内部空間の側面にボルトで結合される複数の受け台と、受け台に安着して腐食防止部の内部に位置し、凹凸状の凹凸溝が内部に形成され、凹凸溝の底面に第３排出口が形成され、事務機器の外観ケースが上面に安着する洗浄剤溜水部と、本体部の上面と底面に各々離隔するように設置される複数の熱源照射部と、本体部の上面に安着し、取っ手が備えられた透明材質の蓋部と、を含むことを特徴とする事務機器用洗浄装置が提供される。【選択図】図１
2015093272.tif 000002
【特許請求の範囲】
【請求項１】
内部に空間が形成され、洗浄剤を排出するための第１排出口（１２）が内部空間の底面（１４）に形成され、前記底面が地面と離隔するように前記底面に支持部（１６）が複数形成される本体部（１０）と、
前記本体部（１０）の内部空間に結合され、内部に空間が形成され、前記本体部（１０）に形成された前記第１排出口（１２）の内部に挿入される第２排出口（２２）が、内部空間の底面（２４）に形成される腐食防止部（２０）と、
前記腐食防止部（２０）の内部空間の側面にボルト（Ｂ）で結合される複数の受け台（３０）と、
前記受け台（３０）に安着して前記腐食防止部（２０）の内部に位置し、内部に凹凸状の凹凸溝（４６）が形成され、前記凹凸溝（４６）の各々に洗浄剤が入れられ、前記凹凸溝（４６）に入れられた洗浄剤が排出されるように凹凸溝（４６）の底面（４４）にゴム栓（Ｓ）が結合される第３排出口（４２）が形成され、分解された事務機器の外観ケース（Ｃ）が上面に安着する洗浄剤溜水部（４０）と、
前記洗浄剤溜水部（４０）の前記凹凸溝（４６）に入れられた洗浄剤が、熱によって飛散されるように前記本体部（１０）の上面と底面に各々離隔するように設置される複数の熱源照射部（５０）と、
前記熱源照射部（５０）から照射される熱を受けて飛散される洗浄剤が外部に流出されないように前記本体部の上面に安着し、取っ手（６２）が備えられた透明材質の蓋部（６０）と、
を含むことを特徴とする、事務機器用洗浄装置。
【請求項２】
前記本体部（１０）と前記本体部（１０）の上面に安着する前記蓋部（６０）との間で飛散される洗浄剤が流出しないように、前記本体部（１０）の上面に密閉部材（７０）が結合されることを特徴とする、請求項１に記載の事務機器用洗浄装置。
【請求項３】
前記腐食防止部（２０）は、ゴム材質または合成樹脂材質のうちいずれか一つの材質を選択して形成したことを特徴とする、請求項１または２に記載の事務機器用洗浄装置。
【請求項４】
前記本体部（１０）の底面（１４）及び前記腐食防止部（２０）の底面（２４）は、下部方向に傾斜するように形成して、洗浄剤が容易に排出されるようにしたことを特徴とする、請求項１〜３のいずれか１項に記載の事務機器用洗浄装置。
【請求項５】
前記洗浄剤溜水部（４０）の凹凸溝（４６）の底面（４４）は、下部方向に傾斜するように形成して、洗浄剤が容易に排出されるようにしたことを特徴とする、請求項１〜４のいずれか１項に記載の事務機器用洗浄装置。
【請求項６】
前記熱源照射部（５０）は、蛍光灯またはハロゲンランプのうちいずれか一つを選択して用いることを特徴とする、請求項１〜５のいずれか１項に記載の事務機器用洗浄装置。
【請求項７】
前記熱源照射部（５０）により熱を受けて飛散される洗浄剤が前記腐食防止部（２０）の内部で均等に飛散されるように、前記腐食防止部（２０）の内部の側面に送風機（８０）が結合されることを特徴とする、請求項１〜６のいずれか１項に記載の事務機器用洗浄装置。
【請求項８】
前記本体部（１０）の外部の側面に位置し、内部に空間が形成され、水が排出されるように内部空間の底面（９４）にゴム栓（Ｓ）が結合される水排出口（９２）が形成され、前記底面（９４）は下部方向に傾斜するように形成され、前記底面が地面と離隔されるように前記底面に支持部（９６）が複数形成された水洗浄部（９０）を備えることを特徴とする、請求項１〜７のいずれか１項に記載の事務機器用洗浄装置。
【発明の詳細な説明】
【技術分野】
【０００１】
本発明は、事務機器用洗浄装置に関する。
【背景技術】
【０００２】
一般に、スキャナ、コピー機、プリンタ機、ファックス、コンピュータなどの事務機器は、事務室で業務者の業務処理を効果的にするシステムであり、業務の生産性を向上し、効果的な情報管理用途で用いられる。
【０００３】
そして、前記事務機器は、現代産業の発展に伴って単純な機能から脱して複合的な機能を有する事務機器となっている。即ち、例えば従来のコピー機は単純に複写機能だけを提供したが、現在は複写機能の他にファックス、スキャナ、ファイル変換のような複合的かつ多様な機能を同時に提供している。
【０００４】
前記のように、ファックス、スキャナ、ファイル変換の多様な機能を提供するコピー機が発売されているが、これを購入するには初期費用が高い問題点があって、多くの会社は、初期購入費用及びメンテナンス費用を投資する代りに、事務機器専門の貸し出し業者を通して低費用のレンタルで用いているのが現状である。
【０００５】
一方、前記のようにレンタル事務機器の故障、または返却などにより、それ以上用いられない事務機器は、新しい会社に貸し出しするために、部品整備及び事務機器の外観の清掃を行って、その後事務機器の最終性能及び外観状態などの点検後、常時貸し出し準備をすることになる。
【０００６】
前記のような部品整備のために、特許文献１には、プリントしようとする文字や絵などが表示されトナーがかけられる、コピー機やプリンタ機などの事務機器内部のドラムの両側端部を洗浄するための事務機器用ドラム洗浄装置技術が公示されている。
【０００７】
前述のように事務機器の故障及び返却時貸し出し業者は、新しい会社に貸し出しするために、部品整備のために事務機器を分解し、分解された部品中事務機器の外観形態に該当する外観ケース表面の汚染物及び頑固な汚れを非イオン系界面活性剤、または天然脂肪酸陽イオン界面活性剤浸透剤のうちいずれか一つの洗浄剤を選択して洗浄する。
【０００８】
しかし、前記のように洗浄剤を利用して外観ケースの汚染物及び頑固な汚れを取り除く際に、事務機器の使用期間が長ければ長いほど汚染物及び頑固な汚れが取り除かれ難い場合が生じるが、一般に織物紙またはティッシュペーパーなどを利用して、外観ケースの表面を覆った状態で洗浄剤をばらまいておいて、一定時間ふやかす過程を経た後、洗浄作業を実施しなければならないわずらわしい問題があり、これと同時に洗浄時間が多く掛かる問題があった。
【０００９】
さらに、前記のような過程を経て汚染物及び頑固な汚れが取り除かれない場合、前記過程の繰り返しと織物紙またはティッシュペーパーなどのような別途の備品が追加消耗されて費用が掛かる問題点もあり、洗浄剤の繰り返し使用により作業者の健康に良くないという問題点があった。
【先行技術文献】
【特許文献】
【００１０】
【特許文献１】大韓民国特許公開１０−２０１１−００８８８５５号
【発明の概要】
【発明が解決しようとする課題】
【００１１】
そこで、本発明は、上記問題に鑑みてなされたものであり、本発明の目的とするところは、事務機器の外観の表面に発生する汚染物及び頑固な汚れを人が直接手作業で取り除くことなく簡単かつ楽に取り除くことが可能な、新規かつ改良された事務機器用洗浄装置を提供することにある。
【課題を解決するための手段】
【００１２】
上記課題を解決するために、本発明のある観点によれば、内部に空間が形成され、洗浄剤を排出するための第１排出口が内部空間の底面に形成され、底面が地面と離隔するように前記底面に支持部が複数形成される本体部と、前記本体部の内部空間に結合され、内部に空間が形成され、前記本体部に形成された前記第１排出口の内部に挿入される第２排出口が、内部空間の底面に形成される腐食防止部と、前記腐食防止部の内部空間の側面にボルトで結合される複数の受け台と、前記受け台に安着して前記腐食防止部の内部に位置し、内部に凹凸状の凹凸溝が形成され、前記凹凸溝の各々に洗浄剤が入れられ、前記凹凸溝に入れられた洗浄剤が排出されるように凹凸溝の底面にゴム栓が結合される第３排出口が形成され、分解された事務機器の外観ケースが上面に安着する洗浄剤溜水部と、前記洗浄剤溜水部の前記凹凸溝に入れられた洗浄剤が、熱によって飛散されるように前記本体部の上面と底面に各々離隔するように設置される複数の熱源照射部と、前記熱源照射部から照射される熱を受けて飛散される洗浄剤が外部に流出されないように前記本体部の上面に安着し、取っ手が備えられた透明材質の蓋部と、を含むことを特徴とする、事務機器用洗浄装置が提供される。
【００１３】
また、前記本体部と前記本体部の上面で安着される蓋部との間で飛散される洗浄剤が流出しないように、前記本体部の上面に密閉部材が結合するようにしてもよい。
【００１４】
また、前記腐食防止部は、ゴム材質または合成樹脂材質のうちいずれか一つの材質を選択して形成してもよい。
【００１５】
また、前記本体部の底面及び前記腐食防止部の底面は、下部方向に傾斜するように形成して、洗浄剤が容易に排出されるようにしてもよい。
【００１６】
また、前記洗浄剤溜水部の凹凸溝の底面は、下部方向に傾斜するように形成して、洗浄剤が容易に排出されるようにしてもよい。
【００１７】
また、前記熱源照射部は、蛍光灯またはハロゲンランプのうちいずれか一つを選択して用いてもよい。
【００１８】
また、前記熱源照射部により熱を受けて飛散される洗浄剤が腐食防止部の内部で均等に飛散されるように、腐食防止部の内部の側面に送風機が結合されてもよい。
【００１９】
また、前記本体部の外部の側面に位置し、内部に空間が形成され、水が排出されるように内部空間の底面にゴム栓が結合される水排出口が形成され、前記底面は下部方向に傾斜するように形成され、前記底面が地面と離隔するように前記底面に支持部が複数形成された水洗浄部を備えてもよい。
【発明の効果】
【００２０】
以上説明したように本発明によれば、事務機器の外観の表面に発生する汚染物及び頑固な汚れを人が直接手作業で取り除くことなく簡単かつ楽に取り除くことが可能となる。
【図面の簡単な説明】
【００２１】
【図１】本発明に係る事務機器用洗浄装置を示した分解斜視図である。
【図２】図１の結合状態を示した斜視図である。
【図３】図２に表示されたＡ−Ａ線断面図である。
【図４】本発明に係る本体部、腐食防止部、洗浄剤溜水部を示した概略断面図である。
【図５】本発明に係る事務機器用洗浄装置の側面に位置された水洗浄部を示した斜視図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
本発明は、事務機器用洗浄装置に関し、事務室で多く用いられるスキャナ、コピー機、プリンタ機、ファックス、コンピュータなどの事務機器の長時間使用により事務機器の外観の表面に発生する汚染物及び頑固な汚れを人が直接手作業で取り除くことなく洗浄装置を利用して簡単かつ楽に取り除くことを目的とする。より詳細には、事務機器の長時間使用による外観ケースの表面の汚染物及び頑固な汚れを作業者が手作業で作業しなければならない問題、汚染物及び頑固な汚れの洗浄時に用いられる織物紙またはティッシュペーパーなどのような別途備品を使わなければならない問題、手作業による作業者に洗浄剤が露出して健康に良くない影響を及ぼす問題などの、上述した従来技術の問題を解決することを課題とする。
【００２４】
本発明に係る事務機器用洗浄装置の構成及び作用について、添付図を参照して詳細に説明する。
【００２５】
本発明の構成説明に先立ち、本発明の構成で同じ用語として説明される底面１４、２４、４４、９４は、本体部１０、腐食防止部２０、洗浄剤溜水部４０の凹凸溝４６、水洗浄部９０の各々の内部空間の底面を指し示し、本発明で同じ用語として説明され、各構成に該当する底面に対しては、互いに異なる図面符号に記載して説明する。
【００２６】
また、ゴム栓Ｓも同じ構成として、同じ用語及び同じ図面符号で説明する。
【００２７】
本発明に係る事務機器用洗浄装置の構成は、図１及び図３に示したように、内部に空間が形成される本体部１０が形成されて、本体部１０の内部空間の底面１４に、洗浄剤が排出される第１排出口１２が形成される。
【００２８】
また、図４に示したように、本体部１０の底面１４は、第１排出口１２を介して排出される洗浄剤が容易に排出されるように、下部方向に傾斜するように形成される。
【００２９】
また、本体部１０の底面に複数の支持台１６を形成して、本体部１０を支持しながら地面と離隔するようにする。
【００３０】
また、本体部１０は合成樹脂材または金属材のうちいずれか一つの材質を選択して形成できる。本体部１０の材質選択は、今後説明される熱源照射部５０から照射される熱がよく伝導される材質を選択するものであり、本発明で上記材質に限定することなく熱伝導率が良い材質に代替してもよい。
【００３１】
また、本体部１０の内部に結合する腐食防止部２０が形成される。
【００３２】
腐食防止部２０は、内部に空間が形成されて、内部空間の底面２４に洗浄剤が排出される第２排出口２２が形成される。
【００３３】
ここで、本体部１０の内部に腐食防止部２０が結合されるとき、本体部１０の第１排出口１２の内部に腐食防止部２０の第２排出口２２が挿入される形態に結合する。また、図４に示したように、腐食防止部２０の底面２４は、洗浄剤が容易に排出されるように、下部方向に傾斜するように形成する。
【００３４】
また、腐食防止部２０の材質は、ゴム材質または合成樹脂材のうちいずれか一つの材質を選択して形成する。
【００３５】
これは、腐食防止部２０の内部で洗浄剤が分散するため、洗浄剤によって腐食防止部２０が腐食されることを防止しながら、さらに本体部１０まで腐食されることを未然に防止するためである。
【００３６】
一方、腐食防止部２０の内部の側面に複数の受け台３０がボルトＢで結合され、受け台３０の上面で安着しながら腐食防止部２０の内部に位置される洗浄剤溜水部４０が形成される。
【００３７】
洗浄剤溜水部４０は、図３に示したように、内部が凹凸状で形成されて、各凹凸間の凹凸溝４６には各々洗浄剤が入れられる。
【００３８】
洗浄剤は、市中で簡単に入手できる非イオン系界面活性剤または天然脂肪酸陽イオン界面活性剤浸透剤のうちいずれか一つの洗浄剤を選択して用いる。
【００３９】
また、凹凸溝４６ごとに入れられた洗浄剤が排出されるように、凹凸溝４６の底面４４にゴム栓Ｓが結合する第３排出口４２が形成され、分解された事務機器の外観ケースＣは、洗浄剤溜水部４０の上面に安着する。
【００４０】
事務機器の外観ケースＣは、スキャナ、コピー機、プリンタ機、ファックス、コンピュータなどの事務機器の外部に結合されて位置するケースである。
【００４１】
また、図４に示したように、上記洗浄剤が入れられる凹凸溝４６の底面４４は、第３排出口４２を介して排出される洗浄剤が容易に排出されるように、下部方向に傾斜するように形成する。
【００４２】
また、洗浄剤溜水部４０の上面と底面に複数の熱源照射部５０を離隔設置する。熱源照射部５０は、蛍光灯またはハロゲンランプのうちいずれか一つを選択して用いる。
【００４３】
熱源照射部５０は、洗浄剤溜水部４０の凹凸溝４６に入れられた洗浄剤が、熱源照射部５０から照射される熱によって噴霧されるようにするための熱源用途として用いられる。また、事務機器の外観ケースＣの汚染物及び頑固な汚れの洗浄可否確認のための照明用途としても同時に利用される。
【００４４】
一方、熱源照射部５０により熱を受けて噴霧される洗浄剤が、外部に流出されないように取っ手６２が備えられた透明材質の蓋部６０が形成され、蓋部６０は、本体部１０の上面に安着する。
【００４５】
このとき、本体部１０と本体部１０の上面に安着する蓋部６０との間で噴霧される洗浄剤が外部に流出されないように、ゴム材質またはシリコン材質のうちいずれか一つの材質で形成された密閉部材７０が、接着剤またはボルト結合のうちいずれか一つの方法で本体部１０の上面に結合する。
【００４６】
また、蓋部６０を透明材質で形成したのは、外観ケースＣの表面の汚染物及び頑固な汚れの取り除き状態の確認または腐食防止部２０の内部状態を常に目視で確認できるようにするためである。
【００４７】
また、熱源照射部５０に照射される熱を受けて腐食防止部２０の内部で噴霧される洗浄剤が、腐食防止部２０の内部に均等に飛散されるように、腐食防止部２０の内部の側面に、電源の供給を受けて作動する送風機８０を結合する。
【００４８】
これは、洗浄剤溜水部４０の上面に安着する事務機器の外観ケースＣの表面に飛散される洗浄剤が均等に分布するようにして、汚染物及び頑固な汚れを効果的に取り除くためである。
【００４９】
一方、図５に示したように、本体部１０の外部の側面に水洗浄部９０を形成する。
【００５０】
水洗浄部９０は、内部に空間が形成されて、内部空間の底面９４にゴム栓Ｓが結合される水排出口９２が形成される。底面９４は、下部方向に傾斜するように形成され、水洗浄部９０の底面に複数の支持台９６を形成して、水洗浄部９０を支持しながら地面と離隔するようにする。
【００５１】
水洗浄部９０は、腐食防止部２０の内部で飛散される洗浄剤によって汚染物及び頑固な汚れが取り除かれた事務機器の外観ケースＣを水ですすぐ用途として用いられ、すすぐ過程が終わった後には、水排出口９２に結合したゴム栓Ｓを分離して水を排出する。
【００５２】
上記のように構成された事務機器用洗浄装置の洗浄過程を説明する。
【００５３】
まず、事務機器から分離された外観ケースＣを水で洗浄して、埃のような異物を取り除き、水がついた外観ケースＣを振りながら水気を切った後、腐食防止部２０の内部に位置された洗浄剤溜水部４０の上面に順に安着させる。
【００５４】
その後、本体部１０の上面に蓋部６０を安着させて覆った後、本体部１０の上面と底面に離隔配置された熱源照射部５０に電源を供給する。
【００５５】
すると、前記熱源照射部５０から熱が発生し、この熱は、本体部１０の上面に位置された蓋部６０に伝えられて蓋部６０の温度が上昇するようになる。また、本体部１０の底面に位置された熱源照射部５０から発生する熱は、本体部１０の底面に伝えられて、本体部１０の温度が上昇するようになる。
【００５６】
上記のように、蓋部６０と本体部１０とに熱が伝えられて温度が上昇することによって、腐食防止部２０の内部の温度が上昇しながら、洗浄剤溜水部４０の凹凸溝４６に入れられた洗浄剤の温度が上昇されて噴霧される。この噴霧される洗浄剤は、外観ケースＣの表面を覆って、汚染物及び頑固な汚れが取り除かれると同時に、外観ケースＣを元の色に戻す効果がある。
【００５７】
一方、洗浄剤溜水部４０の上面に安着した外観ケースＣが多いか、または積層された場合、または、汚染物及び頑固な汚れの状態が酷い場合には、腐食防止部２０の内部の側面に設置された送風機８０に電源を供給する。
【００５８】
すると、送風機８０から送風された風により噴霧される洗浄剤が、四方に飛散されながら複数の外観ケースＣの表面全体に洗浄剤で覆われて、汚染物及び頑固な汚れを効果的に取り除くと同時に洗浄時間を短縮できる効果がある。
【００５９】
上記のような過程を経て汚染物及び頑固な汚れが取り除かれた外観ケースＣは、水洗浄部９０に移して水で数回洗浄した後、自然乾燥または織物紙を利用して水気を取り除いた後、元の事務機器に組み付けられる。
【００６０】
このとき、水洗浄部９０に入れられた水には洗浄剤が残存するため、下水管にすぐ排出せずに別途の筒に入れて指定された廃棄物業者に送る。
【００６１】
また、洗浄剤溜水部４０の凹凸溝４６に入れられた洗浄剤は、凹凸溝４６の底面４４に形成された第３排出口４２からゴム栓Ｓを分離すると、洗浄剤が排出される。この排出された洗浄剤は、腐食防止部２０の底面２４を経て第２排出口２２を介して排出される。
【００６２】
このとき、凹凸溝４６の底面４４及び腐食防止部２０の底面２４が、下部方向に傾斜するように形成されているため、凹凸溝４６に入れられている洗浄剤は、全部排出され、この排出される洗浄剤は、別途の筒に入れて指定された廃棄物業者に送る。
【００６３】
このように、本発明に係る事務機器用洗浄装置は、事務機器の外観ケースの表面の汚染物及び頑固な汚れを作業者が洗浄剤を撒いていちいち手作業で取り除くことなく、複数の外観ケースを一度に洗浄でき、これによる洗浄時間を短縮できる効果がある。
【００６４】
また、本発明に係る事務機器用洗浄装置の内部で、外観ケース表面の汚染物及び頑固な汚れを取り除くことによって、人体によくない洗浄剤が作業者に露出することを極力抑制して、作業者の健康を守る効果がある。
【００６５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６６】
１０      本体部
１２      第１排出口
１４      底面
２０      腐食防止部
２２      第２排出口
２４      底面
３０      受け台
４０      洗浄剤溜水部
４２      第３排出口
４４      底面
４６      凹凸溝
５０      熱源照射部
６０      蓋部
６２      取っ手
７０      密閉部材
８０      送風機
９０      水洗浄部
９２      水排出口
９４      底面
Ｂ        ボルト
Ｃ        外観ケース
Ｓ        ゴム栓
【図１】
2015093272.tif 000003
【図２】
2015093272.tif 000004
【図３】
2015093272.tif 000005
【図４】
2015093272.tif 000006
【図５】
2015093272.tif 000007